(57)【要約】【課題】保護ガードの接合部を跨いでフィルタを取り付けることができないボックス型扇風機に対し、フィルタを容易に固定することが可能な扇風機フィルタ用クリップおよび扇風機フィルタの提供。【解決手段】２本の脚３０と、弾性材料で形成され２本の脚３０の上部同士をアーチ状に連結する湾曲片３１とから構成され、２本の脚３０のそれぞれの外側には、保護ガードのフレームに嵌り合う凹部３４ａ，３４ｂ，３４ｃ，３９が設けられたクリップ３であり、湾曲片３１を２本の脚３０同士が近付く方向へ力を加えて両側から押し縮めた状態とし、脚３０を扇風機の保護ガードのフレームの間に差し込んで、湾曲片３１に加えた力を開放すると、湾曲片３１が弾性により復元し、２本の脚３０のそれぞれの外側に設けられた凹部３４ａ，３４ｂ，３４ｃ，３９が保護ガードのフレームに嵌り合い、クリップ３が保護ガードに固定される。【選択図】  図３
2006183549.tif 000002
【特許請求の範囲】
【請求項１】
扇風機に設けられた保護ガードに取り付けられるフィルタを前記保護ガードに固定するための扇風機フィルタ用クリップであって、
２本の脚と、弾性材料で形成され前記２本の脚の上部同士をアーチ状に連結する湾曲片とから構成され、
前記２本の脚のそれぞれの外側には、前記保護ガードのフレームに嵌り合う凹部が設けられた扇風機フィルタ用クリップ。
【請求項２】
前記湾曲片の両端部に把持部を備えた請求項１記載の扇風機フィルタ用クリップ。
【請求項３】
前記凹部が前記２本の脚のそれぞれの外側に複数形成され、各凹部は前記保護ガードのフレームの厚さに応じてそれぞれ異なる幅で形成された請求項１または２に記載の扇風機フィルタ用クリップ。
【請求項４】
前記２本の脚は、それぞれ前記湾曲片の端部から内側に向かって延ばされた腿部と、同腿部の先端で屈曲して下方に向かって延ばされた脛部とから構成された請求項１から３のいずれかに記載の扇風機フィルタ用クリップ。
【請求項５】
前記腿部と脛部との連結部の外側には、前記保護ガードのフレームが線材の場合に、前記線材が嵌り込む曲面状の凹部が設けられた請求項４記載の扇風機フィルタ用クリップ。
【請求項６】
請求項１から５のいずれかに記載の扇風機フィルタ用クリップと、
扇風機に設けられた保護ガードおよび前記扇風機フィルタ用クリップを覆い、裾を前記扇風機フィルタ用クリップに掛けて固定するフィルタ本体と
から構成される扇風機フィルタ。
【発明の詳細な説明】
【技術分野】
【０００１】
本発明は、扇風機により送風される空気中の塵埃をろ過するフィルタを扇風機に固定するための扇風機フィルタ用クリップおよび扇風機フィルタに関する。
【背景技術】
【０００２】
扇風機に取り付けられるフィルタとして、例えば特許文献１に記載のものが知られている。このフィルタは、扇風機の保護ガードの前面から被せて、紐を縛って取り付ける。このフィルタによれば、扇風機により送風される空気中の塵埃が、保護ガード前面のフィルタによりろ過されるので、扇風機前方に送風される空気は清浄されたものとなる。
【０００３】
また、例えば、特許文献２，３には、扇風機の保護ガードの後側で扇風機に風が入ってくる部分にフィルタを取り付け、塵埃を吸収することにより、扇風機前方に送風される空気が清浄されることはもちろんのこと、扇風機の羽根やその外側の保護ガードが汚れるのを防止した扇風機フィルタが記載されている。
【０００４】
これらの特許文献１〜３に記載のフィルタは、ドーム型の保護ガードにより羽根を前後から挟み込んだ形状の一般的な扇風機、いわゆるリビング扇に取り付けられるものである。この種の扇風機では、前後の保護ガードの接合部の直径が最も大きく、前後方向に行くにつれて直径が小さくなっているので、この接合部を跨いでフィルタを取り付ければ、フィルタが動かないように容易に固定することができる。
【０００５】
また、近年では、直方体状の本体内に羽根を備え、この本体の前後に円柱状の保護ガードを備えたボックス型扇風機（いわゆるボックス扇）が開発されている（例えば、非特許文献１，２参照。）。この種の扇風機では、保護ガードの接合部が直方体状の本体の表面にあるため、特許文献１〜３に記載のような一般的な扇風機用のフィルタを使用することができない。保護ガードの接合部を跨いでフィルタを取り付けることができないからである。
【０００６】
【特許文献１】特開２００３−２６９７５７号公報
【特許文献２】特開平１１−１５９４９９号公報
【特許文献３】特開２００３−２１０９４号公報
【非特許文献１】“ＢＯＸ扇”，［online］，森田電工株式会社，［平成１６年１２月２０日検索］，インターネット＜ＵＲＬ：http://www.moritadenko.co.jp/products/summer/box/mf_256b.html＞
【非特許文献２】“１４１１  メカニカルコントロール  ボックスファン（Mechanical Control Box Fan）”，フン・シン・エレクトリック・カンパニー・リミテッド（HUNG HSING ELECTRIC CO., LTD.），［平成１６年１２月２０日検索］，インターネット＜ＵＲＬ：http://www.hec.com.tw/fan_bxf_e.htm#bxf3＞
【発明の開示】
【発明が解決しようとする課題】
【０００７】
本発明は、保護ガードの接合部を跨いでフィルタを取り付けることができないボックス型扇風機に対し、フィルタを容易に固定することが可能な扇風機フィルタ用クリップおよび扇風機フィルタを提供することを目的とする。
【課題を解決するための手段】
【０００８】
本発明の扇風機フィルタ用クリップは、扇風機に設けられた保護ガードに取り付けられるフィルタを保護ガードに固定するための扇風機フィルタ用クリップであって、２本の脚と、弾性材料で形成され２本の脚の上部同士をアーチ状に連結する湾曲片とから構成され、２本の脚のそれぞれの外側には、保護ガードのフレームに嵌り合う凹部が設けられたものである。
【０００９】
本発明の扇風機フィルタ用クリップは、湾曲片を２本の脚同士が近付く方向へ力を加えて両側から押し縮めた状態とし、脚をフレームの間に差し込んで、湾曲片に加えた力を開放すると、湾曲片が弾性により復元し、２本の脚が内側から外側へと広がる。これにより、２本の脚のそれぞれの外側に設けられた凹部が保護ガードのフレームに嵌り合い、扇風機フィルタ用クリップが保護ガードに固定される。
【００１０】
ここで、凹部が２本の脚のそれぞれの外側に複数形成され、各凹部は保護ガードのフレームの厚さに応じてそれぞれ異なる幅で形成されたものであることが望ましい。これにより、扇風機ごとに異なる保護ガードのフレームの厚さに関わらず、２本の脚のそれぞれの外側に設けられた複数の凹部のいずれかが保護ガードのフレームに嵌り合い、扇風機フィルタ用クリップが保護ガードに固定される。
【００１１】
また、２本の脚は、それぞれ湾曲片の端部から内側に向かって延ばされた腿部と、腿部の先端で屈曲して下方に向かって延ばされた脛部とから構成されたものであることが望ましい。この構成では、扇風機フィルタ用クリップをフレームの間に差し込んで、湾曲片に加えた力を開放した際、湾曲片が伸びることにより脛部の下端が外側へと広がる。これにより、脛部はフレームに沿ってより深い位置へ入り込もうとするが、フレームが腿部に接触する位置で止まる。
【００１２】
また、腿部と脛部との連結部の外側には、保護ガードのフレームが線材の場合に、線材が嵌り込む曲面状の凹部が設けられていることが望ましい。これにより、上記のように扇風機フィルタ用クリップをフレームの間に差し込んで、湾曲片に加えた力を開放した際、線材のフレームが腿部と脛部との連結部の外側の曲面状の凹部に嵌り込んで固定される。
【００１３】
本発明の扇風機フィルタは、上記扇風機フィルタ用クリップと、扇風機に設けられた保護ガードおよび上記扇風機フィルタ用クリップを覆い、裾を上記扇風機フィルタ用クリップに掛けて固定するフィルタ本体とから構成される。本発明の扇風機フィルタ用クリップを取り付けた保護ガードは、扇風機フィルタ用クリップの湾曲片の上面までの直径が最も大きく、保護ガード自体の表面までの直径が小さくなるので、この扇風機フィルタ用クリップの上から、フィルタ本体を被せて扇風機フィルタ用クリップに掛けることにより、フィルタ本体が扇風機に固定される。
【発明の効果】
【００１４】
（１）２本の脚と、弾性材料で形成され２本の脚の上部同士をアーチ状に連結する湾曲片とから構成され、２本の脚のそれぞれの外側には、保護ガードのフレームに嵌り合う凹部が設けられた扇風機フィルタ用クリップは、その脚をフレームの間に差し込むだけで、保護ガードに固定されるので、この扇風機フィルタ用クリップの上から、フィルタ本体を被せて扇風機フィルタ用クリップに掛けることにより、フィルタ本体が扇風機に固定される。これにより、保護ガードの接合部を跨いでフィルタを取り付けることができないボックス型扇風機に対しても、フィルタを容易に固定することが可能となる。
【００１５】
（２）凹部が２本の脚のそれぞれの外側に複数形成され、各凹部は保護ガードのフレームの厚さに応じてそれぞれ異なる幅で形成されたことにより、扇風機ごとに異なる保護ガードのフレームの厚さに関わらず、２本の脚のそれぞれの外側に設けられた複数の凹部のいずれかが保護ガードのフレームに嵌り合い、扇風機フィルタ用クリップが保護ガードに固定される。これにより、多種多様の保護ガードに対応させて扇風機フィルタを固定することができる。
【００１６】
（３）２本の脚は、それぞれ湾曲片の端部から内側に向かって延ばされた腿部と、腿部の先端で屈曲して下方に向かって延ばされた脛部とから構成されたことにより、扇風機フィルタ用クリップをフレームの間に差し込んだ際、脛部の下端が外側へと広がり、フレームが腿部に接触する位置で止まるので、扇風機フィルタ用クリップはこの位置で固定され、安定する。
【００１７】
（４）腿部と脛部との連結部の外側には、保護ガードのフレームが線材の場合に、線材が嵌り込む曲面状の凹部が設けられたことにより、扇風機フィルタ用クリップをフレームの間に差し込んで、湾曲片に加えた力を開放した際、線材のフレームが腿部と脛部との連結部の外側の曲面状の凹部に嵌り込んで固定されるので、扇風機フィルタ用クリップはこの位置で固定され、動かなくなる。
【発明を実施するための最良の形態】
【００１８】
図１は本発明の実施の形態における扇風機フィルタを取り付けるボックス型扇風機の背面側の斜視図、図２は本発明の実施の形態における扇風機フィルタのフィルタ本体の背面図、図３は本発明の実施の形態における扇風機フィルタ用クリップであって、（ａ）は平面図、（ｂ）は正面図、（ｃ）は左側面図である。
【００１９】
図１に示すように、本発明の実施の形態における扇風機フィルタを取り付ける扇風機１は、ドーム型の保護ガードにより羽根を前後から挟み込んだ形状の一般的な扇風機（いわゆるリビング扇）ではなく、直方体状の本体１０内に羽根（図示せず。）を備え、この本体１０の前後に円柱状の保護ガード１１（扇風機の正面側は図に現れていない。）を備えたボックス型扇風機である。
【００２０】
保護ガード１１は、樹脂製の帯板材や鋼製の丸線材等の細長い材料が円柱状の底の中心部から放射状に配列されたフレーム１２を有する。また、フレーム１２は、円柱状の底の周縁から本体１０へ向かって互いに平行に配列されており、その先端は環状のフランジ１３に接合されている。このフランジ１３は、本体１０に固定されている。
【００２１】
本実施形態における扇風機フィルタは、図２に示すフィルタ本体２と、図３に示す扇風機フィルタ用クリップ（以下、「クリップ」と称す。）３とから構成される。図２に示すようにフィルタ本体２は、扇風機１の保護ガード１１と同様の形状であって、この保護ガード１１に対して正面から被せられる大きさに形成されたものである。また、裾２０の周囲にはゴムが取り付けられており、保護ガード１１に被せた際に保護ガード１１にぴったりと密着するようになっている。
【００２２】
クリップ３は、例えばナイロン樹脂等の弾性材料により左右対称に形成されたものであり、図３に示すように２本の脚３０と、２本の脚３０の上部同士をアーチ状に連結する湾曲片３１とから構成される。脚３０は、それぞれ湾曲片３１の端部３２から内側に向かって延ばされた腿部３０ａと、腿部３０ａの先端で屈曲して下方に向かって延ばされた脛部３０ｂとから構成される。また、湾曲片３１の両端部３２には、手の指で摘みやすいように外側に凹面が形成された把持部３３を備えている。
【００２３】
また、２本の脚３０の脛部３０ｂのそれぞれの外側には、保護ガード１１のフレーム１２に嵌り合う複数の凹部３４ａ，３４ｂ，３４ｃが形成されている。各凹部３４ａ，３４ｂ，３４ｃには、それぞれ少なくとも一つの平面３５ａ，３５ｂ，３５ｃが形成されている。各平面３５ａ，３５ｂ，３５ｃは、それぞれ段違いとなるように形成されている。
【００２４】
また、各凹部３４ａ，３４ｂ，３４ｃの一方の端面３６ａ，３６ｂ，３６ｃは腿部３０ａの下面に形成された同一の平面であるが、これらと反対側の端面３７ａ，３７ｂ，３７ｃは、それぞれ段違いとなるように形成されている。すなわち、各凹部３４ａ，３４ｂ，３４ｃのそれぞれの端面３６ａ，３６ｂ，３６ｃと端面３７ａ，３７ｂ，３７ｃとの間の幅がそれぞれ異なるように形成されている。
【００２５】
さらに、各端面３７ａ，３７ｂ，３７ｃと各平面３５ａ，３５ｂ，３５ｃとがぶつかり合う端部には、それぞれ曲面状の凹部３８ａ，３８ｂ，３８ｃが形成されている。また、端面３６ａと平面３５ａとがぶつかり合う端部にも、曲面状の凹部３９が形成されている。
【００２６】
次に、上記構成のクリップ３の使用方法について説明する。図４は本実施形態における扇風機フィルタを取り付けた状態の扇風機１の背面図、図５は平面図、図６はクリップ３の取り付け部の拡大斜視図である。
【００２７】
図４に示すように、まず扇風機１の背面の保護ガード１１のフレーム１２に６個のクリップ３を等間隔に取り付ける。クリップ３は、両端の把持部３３の凹面に指を掛け、湾曲片３１を２本の脚３０同士が近付く方向へ力を加えて両側から押し縮めた状態として、脚３０をフレーム１２の間に差し込む。２本の脚３０の間隔は、フレーム１２の３小間か４小間程度である。そして、湾曲片３１に加えた力を開放すると、湾曲片３１が弾性により復元し、２本の脚３０が内側から外側へと広がる。
【００２８】
ここで、脚３０の凹部３４ａ，３４ｂ，３４ｃとフレーム１２との接触状態について説明する。図７の（ａ）〜（ｃ）は、クリップ３の脚３０の凹部３４ａ，３４ｂ，３４ｃにそれぞれ異なる厚さのフレーム１２ａ，１２ｂ，１２ｃが嵌り合った状態を示している。
【００２９】
図７の（ａ）に示すように、最も厚さの薄いフレーム１２ａの場合、フレーム１２ａは、脚３０の最も内側の凹部３８ａに嵌り合う。このとき、フレーム１２ａは、凹部３８ａの平面３５ａに接触した状態で凹部３８ａに保持される。フレーム１２ａと平面３５ａとの接触状態は、平面３５ａの両端に凹部３８ａ，３９が設けられていることにより、フレーム１２ａや脚３０の多少の歪みや撓みが吸収されるので、平面３５ａの全体が接触することになる。また、保護ガード１１の直径方向の動きは、フレーム１２ａの上下が脚３０の平面３６ａ，３７ａによって拘束されるので、クリップ３はフレーム１２ａにしっかりと固定されて動かない。
【００３０】
図７の（ｂ）および（ｃ）に示すように、フレーム１２ａよりも厚いフレーム１２ｂ，１２ｃの場合も同様に、それぞれ脚３０の凹部３８ｂ，３８ｃに嵌り合い、それぞれ凹部３８ｂの平面３５ｂおよび凹部３８ｃの平面３５ｃに接触した状態で凹部３８ｂ，３８ｃに保持される。また、フレーム１２が丸線材のフレーム１２ｄの場合には、図８に示すように、脚３０の曲面状の凹部３９に嵌り込んで固定される。
【００３１】
また、図７および図８に示すいずれの場合においても、クリップ３をフレーム１２ａ〜１２ｄの間に差し込んで、湾曲片３１に加えた力を開放した際、湾曲片３１が伸びることにより脛部３０ｂの下端が外側へと広がる。これにより、脛部３０ｂはフレーム１２ａ〜１２ｄに沿ってより深い位置へ入り込もうとするが、フレーム１２ａ〜１２ｄが腿部３０ａに接触する位置で止まるので、クリップ３はこの位置で固定され、安定する。
【００３２】
このようにクリップ３の脚３０の各凹部３４ａ，３４ｂ，３４ｃは保護ガード１１のフレーム１２の厚さに応じてそれぞれ異なる幅で形成されているので、厚さ等の異なるフレーム１２ａ〜１２ｄは、２本の脚３０のそれぞれの外側に設けられた凹部３４ａ，３４ｂ，３４ｃ，３９のいずれかに嵌り合う。これにより、クリップ３が保護ガード１１に固定される。
【００３３】
そして、クリップ３を固定した扇風機１の背面の保護ガード１１に、図５および図６に示すようにフィルタ本体２を被せる。このとき、フィルタ本体２の裾２０のゴム部をクリップ３に引っ掛けながら、保護ガード１１の前面にフィルタ本体２を被せていく。最後にフィルタ３の張り具合が均一となるようにフィルタ本体２の裾２０を摘んで引っ張り、調整する。
【００３４】
以上のように、本実施形態におけるクリップ３は、２本の脚３０と、弾性材料で形成され２本の脚３０の上部同士をアーチ状に連結する湾曲片３１とから構成され、２本の脚３０のそれぞれの外側には、扇風機１の保護ガード１１のフレーム１２に嵌り合う凹部３４ａ，３４ｂ，３４ｃ，３９が設けられているので、脚３０をフレーム１２の間に差し込むだけで、保護ガード１１に固定される。
【００３５】
こうしてクリップ３が取り付けられた保護ガード１１は、クリップ３の湾曲片３１の上面までの直径が最も大きく、保護ガード１１自体の表面までの直径が小さくなるので、このクリップ３の上から、フィルタ本体２を被せて６個のクリップ３に掛けることにより、フィルタ本体２が扇風機１に固定される。すなわち、本実施形態におけるクリップ３によれば、ボックス型扇風機に対しても、フィルタ本体２を容易に固定することが可能である。なお、クリップ３の数は６個でなくても良い。
【００３６】
また、本実施形態におけるクリップ３は、複数の凹部３４ａ，３４ｂ，３４ｃが２本の脚３０のそれぞれの外側に、保護ガード１１のフレーム１２の厚さに応じてそれぞれ異なる幅で形成されているので、扇風機１ごとに異なる保護ガード１１のフレーム１２の厚さに関わらず、２本の脚３０のそれぞれの外側に設けられた複数の凹部３４ａ，３４ｂ，３４ｃのいずれかが保護ガード１１のフレーム１２に嵌り合う。これにより、多種多様の保護ガード１１に対応させてフィルタ本体２を固定することができる。
【００３７】
なお、本実施形態における扇風機１は、保護ガード１１が本体１０に固定された固定式のタイプの扇風機用のものであるが、本実施形態における扇風機フィルタは、保護ガード１１が本体１０内で回転するように支持された移動式のタイプの扇風機にも適用可能である。また、本実施形態における扇風機フィルタは、ボックス型扇風機のみならず、一般的な扇風機にも適用可能である。また、クリップ３は、ナイロン樹脂以外の弾性材料、例えば金属板やゴム等により形成しても良い。
【産業上の利用可能性】
【００３８】
本発明の扇風機フィルタ用クリップは、扇風機により送風される空気中の塵埃をろ過するフィルタを扇風機に固定するための器具として有用である。特に、本発明の扇風機フィルタ用クリップは、保護ガードの接合部を跨いでフィルタを取り付けることができないボックス型扇風機に対してフィルタを容易に固定する器具として好適である。
【図面の簡単な説明】
【００３９】
【図１】本発明の実施の形態における扇風機フィルタを取り付けるボックス型扇風機の背面側の斜視図である。
【図２】本発明の実施の形態における扇風機フィルタのフィルタ本体の背面図である。
【図３】本発明の実施の形態における扇風機フィルタ用クリップであって、（ａ）は平面図、（ｂ）は正面図、（ｃ）は左側面図である。
【図４】本実施形態における扇風機フィルタを取り付けた状態の扇風機の背面図である。
【図５】図４の扇風機の平面図である。
【図６】クリップの取り付け部の拡大斜視図である。
【図７】クリップの脚の凹部にそれぞれ異なる厚さのフレームが嵌り合った状態を示す部分拡大断面図である。
【図８】クリップの脚の曲面状の凹部に丸線材のフレームが嵌り込んだ状態を示す部分拡大断面図である。
【符号の説明】
【００４０】
１  扇風機
２  フィルタ本体
３  クリップ
１０  本体
１１  保護ガード
１２  フレーム
１３  フランジ
２０  裾
３０  脚
３０ａ  腿部
３０ｂ  脛部
３１  湾曲片
３３  把持部
３４ａ，３４ｂ，３４ｃ，３９  凹部
【図１】
2006183549.tif 000003
【図２】
2006183549.tif 000004
【図３】
2006183549.tif 000005
【図４】
2006183549.tif 000006
【図５】
2006183549.tif 000007
【図６】
2006183549.tif 000008
【図７】
2006183549.tif 000009
【図８】
2006183549.tif 000010